(57)【要約】      （修正有）【課題】マチを有した収納部を備えるファイルにおいて、マチが邪魔になって書類等の挿入が難しいという不具合を解消するファイルを提供する。【解決手段】被収納物の一部を収納するマチ６、７を備えた収納部１と、その収納部１に接続された表紙２及び裏表紙３とを備えたファイルＦにおいて、前記マチ６、７を、前記収納部１の内部に形成される収納空間１ｓ内を区成する延出部１５、１７を備えたものとし、そのマチ６、７の延出部１５、１７が、前記表紙２と前記裏表紙３の展開時に変位して前記収納空間１ｓから露出するようにする。【選択図】図１０
2019043038.tif 000002
【特許請求の範囲】
【請求項１】
被収納物の一部を収納するマチを備えた収納部と、その収納部に接続された表紙及び裏表紙とを備えたファイルであって、
前記マチは、前記収納部の内部に形成される収納空間内を区成する延出部を備えたものであり、そのマチの延出部が、前記表紙と前記裏表紙の展開時に変位して前記収納空間から露出するファイル。
【請求項２】
前記収納部が、基端同士が相互に連結され各先端が前記表紙及び前記裏表紙にそれぞれ連続する対をなす外壁と、これら外壁の端縁間に設けられた前記マチとを備えたものであり、
前記マチが、前記外壁の接離動作に伴って折畳み姿勢から展開姿勢までの間で変形するマチ本体と、このマチ本体から前記収納空間内に向けて延設された前記延出部とを備えたものである請求項１記載のファイル。
【請求項３】
前記マチが、前記両外壁の端縁から延設された一対のマチ形成部材により構成されたものであり、
前記両マチ形成部材の延出端側を結合することによって前記延出部が形成されており、前記両マチ形成部材の相互に結合されていない部分によって前記マチ本体が構成されている請求項２記載のファイル。
【請求項４】
正面視において左右に位置する前記両外壁の上縁間及び下縁間に前記マチがそれぞれ設けられたものであり、前記各マチのマチ本体は、前記展開姿勢において略水平に展開可能である請求項２又は３記載のファイル。
【請求項５】
前記マチ本体が、前記展開姿勢において平面視扇形に広がる請求項４記載のファイル。
【請求項６】
前記マチが、対応する前記外壁にそれぞれ一体に形成された一対のマチ形成部材により構成されたものであり、一方のマチ形成部材と他方のマチ形成部材とを交叉させてこれらマチ形成部材の延出端側を裏面同士が密着する状態で接合させることにより前記延出部を形成している請求項３、４又は５記載のファイル。
【請求項７】
前記収納部が、その両外壁を対応する前記表紙及び前記裏表紙にそれぞれ折り線を介して一体に構成したものであり、前記折り線を傾斜させて前記外壁の下縁の長さを上縁の長さより大きな値に設定している請求項４記載のファイル。
【請求項８】
前記収納部が、ファイルボックスに収めることができる上下方向の外法寸法と、複数枚のクリヤーホルダーを内部に収納可能な上下方向の内法寸法を備えたものである請求項４記載のファイル。
【発明の詳細な説明】
【技術分野】
【０００１】
本発明は、マチを有した収納部を備えてなるファイルに関する。
【背景技術】
【０００２】
従来、この種のファイルとして、書類等の被収納物の一部を収納するためのマチ付きの収納部と、その収納部に接続された表紙及び裏表紙とを備えたものが知られている（例えば、特許文献１を参照）。
【０００３】
ところで、かかるファイルにおいては、表紙及び裏表紙を展開して書類を前記収納部に挿入する際に、前記マチの全体が前記収納部の内部に形成される収納空間内に留まる。そのため、書類を前記収納部に挿入する際に前記マチが邪魔になることが少なくない。
【先行技術文献】
【特許文献】
【０００４】
【特許文献１】実用新案出願公告第２８９２号公報
【発明の概要】
【発明が解決しようとする課題】
【０００５】
本発明は以上の点に着目してなされたもので、マチが邪魔になって書類等の挿入が難しいという不具合を解消することを目的とする。
【課題を解決するための手段】
【０００６】
請求項１記載の発明に係るファイルは、被収納物の一部を収納するマチを備えた収納部と、その収納部に接続された表紙及び裏表紙とを備えたファイルであって、前記マチは、前記収納部の内部に形成される収納空間内を区成する延出部を備えたものであり、そのマチの延出部が、前記表紙と前記裏表紙の展開時に変位して前記収納空間から露出するものである。
【０００７】
請求項２記載の発明に係るファイルは、請求項１記載の構成のものにおいて、前記収納部が、基端同士が相互に連結され各先端が前記表紙及び前記裏表紙にそれぞれ連続する対をなす外壁と、これら外壁の端縁間に設けられた前記マチとを備えたものであり、前記マチが、前記外壁の接離動作に伴って折畳み姿勢から展開姿勢までの間で変形するマチ本体と、このマチ本体から前記収納空間内に向けて延設された前記延出部とを備えたものである。
【０００８】
請求項３記載の発明に係るファイルは、請求項２記載の構成のものにおいて、前記マチが、前記両外壁の端縁から延設された一対のマチ形成部材により構成されたものであり、前記両マチ形成部材の延出端側を結合することによって前記延出部が形成されており、前記両マチ形成部材の相互に結合されていない部分によって前記マチ本体が構成されているものである。
【０００９】
請求項４記載の発明に係るファイルは、請求項２又は３記載の構成のものにおいて、正面視において左右に位置する前記両外壁の上縁間及び下縁間に前記マチがそれぞれ設けられたものであり、前記各マチのマチ本体は、前記展開姿勢において略水平に展開可能である。
【００１０】
請求項５記載の発明に係るファイルは、請求項４記載の構成のものにおいて、前記マチ本体が、前記展開姿勢において平面視扇形に広がるものである。
【００１１】
請求項６記載の発明に係るファイルは、請求項３、４又は５記載の構成のものにおいて、前記マチが、対応する前記外壁にそれぞれ一体に形成された一対のマチ形成部材により構成されたものであり、一方のマチ形成部材と他方のマチ形成部材とを交叉させてこれらマチ形成部材の延出端側を裏面同士が密着する状態で接合させることにより前記延出部を形成しているものである。
【００１２】
請求項７記載の発明に係るファイルは、請求項４記載の構成のものにおいて、前記収納部が、その両外壁を対応する前記表紙及び前記裏表紙にそれぞれ折り線を介して一体に構成したものであり、前記折り線を傾斜させて前記外壁の下縁の長さを上縁の長さより大きな値に設定しているものである。
【００１３】
請求項８記載の発明に係るファイルは、請求項４記載の構成のものにおいて、前記収納部が、ファイルボックスに収めることができる上下方向の外法寸法と、複数枚のクリヤーホルダーを内部に収納可能な上下方向の内法寸法を備えたものである。
【発明の効果】
【００１４】
本発明によれば、マチが邪魔になって書類等の挿入が難しいという不具合を解消することができる構成のファイルを提供することができる。
【図面の簡単な説明】
【００１５】
【図１】本発明の一実施形態に係るファイルを示す側面図。
【図２】図１におけるＸ矢視図。
【図３】図１におけるＡ−Ａ線に沿った断面図
【図４】同実施形態に係るファイルの表紙及び裏表紙を半展開した状態の正面図。
【図５】同実施形態に係るファイルの表紙及び裏表紙を全展開した状態の正面図。
【図６】図５におけるＰ矢視図。
【図７】図５におけるＱ矢視図。
【図８】図３における要部拡大図。
【図９】図５における要部拡大図。
【図１０】同実施形態に係るファイルを示す斜視図。
【図１１】同実施形態に係るファイルの主要部の展開図。
【図１２】同実施形態に係るファイルの組立手順を示す説明図。
【図１３】本発明の他の実施形態に係るファイルの中間姿勢を示す斜視図。
【図１４】同施形態に係るファイルの展開姿勢を示す斜視図。
【発明を実施するための形態】
【００１６】
以下本発明の第一実施形態を、図１〜図１２を参照して説明する。
【００１７】
本実施形態のファイルＦは、図１、図３〜図５及び図１０に示すように、書類等の被収納物の一部を収納するマチ６、７を備えた収納部１と、その収納部１に接続された表紙２及び裏表紙３とを備えたものである。前記マチ６、７は、前記収納部１の内部に形成される収納空間１ｓ内を区成する延出部１５、１７を備えたものであり、そのマチ６、７の延出部１５、１７が、前記表紙２と前記裏表紙３の展開時に変位して前記収納空間１ｓから露出するようになっている。この実施形態では、図４及び図５に示すように、表紙２及び裏表紙３を開いて前記収納部１を開口端側から観察した視線を正面視とする。この正面視において左右に位置する前記収納部１の両外壁５の上縁５ｅ間及び下縁５ｆ間に前記マチ６、７がそれぞれ設けられている。
【００１８】
前記収納部１は、図１、図３〜図７及び図１０に示すように、基端５ａ同士が相互に連結され各先端５ｂが前記表紙２及び前記裏表紙３にそれぞれ連続する対をなす外壁５と、これら外壁５の端縁間すなわち上縁５ｅ間及び下縁５ｆ間に設けられた前記マチ６、７とを備えたものである。前記両外壁５の基端５ａは、主折り線５ｃを介して一体に接続している。前記主折り線５ｃの両側には、前記収納部１内の被収納物の厚みに応じて折り増しすることができるようにした厚み調整用の折り線５ｄを設けている。詳述すれば、前記収納部１は、その両外壁５の各先端５ｂを対応する前記表紙２及び前記裏表紙３にそれぞれ境界折り線８を介して一体に構成しており、前記境界折り線８を傾斜させて前記外壁５の下縁５ｆの長さを上縁５ｅの長さより大きな値に設定している。また、前記収納部１は、図示しない標準的なＡ４サイズのファイルボックスに収めることができる上下方向の外法寸法と、複数枚の図示しないＡ４サイズのクリヤーホルダーを内部に収納可能な上下方向の内法寸法を備えている。この実施形態のファイルＦでは、例えば前記外法寸法を３１２ｍｍに設定して、内法寸法が３１２ｍｍのボックスファイルＦに収めることができるようにしてある。また、このファイルＦの内法寸法は、Ａ４サイズのクリヤーホルダーを収納できる値に設定してある。
【００１９】
上下の前記各マチ６、７は、前記外壁５の接離動作に伴って図１〜図３に示す折畳み姿勢（Ｈ）から図５〜図７及び図９〜図１０に示す展開姿勢（Ｅ）までの間で変形するマチ本体１１、１３と、このマチ本体１１、１３から前記収納空間１ｓ内に向けて延設された前記延出部１５、１７とを備えたものである。また、前記上のマチ６及び下のマチ７は、前記両外壁５の端縁、すなわち上縁５ｅから延設された一対のマチ形成部材１９、２３又は下縁５ｆから延設された一対のマチ形成部材２１、２５により構成されたものである。前記上のマチ６及び前記下のマチ７についてさらに詳述すると、前記対をなすマチ形成部材１９、２３の延出端１９ａ、２３ａ側、又は前記対をなすマチ形成部材２１、２５の延出端２１ａ、２５ａ側を結合することによって前記延出部１５、１７がそれぞれ形成されており、前記マチ形成部材１９、２３、２１、２５の相互に結合されていない部分によって前記マチ本体１１、１３がそれぞれ構成されている。また、この実施形態では、前記上のマチ６を構成する前記一対のマチ形成部材１９、２３、及び前記下のマチ７を構成する前記一対のマチ形成部材２１、２５が、対応する前記外壁５に境界折り線６ａ、７ａを介してそれぞれ一体に形成されている。その上で、上側では一方のマチ形成部材１９と他方のマチ形成部材２３とを交叉させ、下側では一方のマチ形成部材２１と他方のマチ形成部材２５とを交叉させてこれらマチ形成部材１９、２３、２１、２５の延出端側を裏面同士が密着する状態で接合させることにより、前記延出部１５、１７が形成されている。この実施形態では、前記各マチ形成部材１９、２３、２１、２５は合成樹脂製のシートにより作られており、これらマチ形成部材１９、２３、２１、２５同士の接合は、超音波溶接等の手法を用いた溶着により行われている。ここで、各マチ６、７の一方のマチ形成部材１９、２１は、他方のマチ形成部材２３、２５よりも幅広に設定されており、他方のマチ形成部材２３、２５を裏面側に挿入するためのスリット１９ｓ、２１ｓが形成されている。なお、上のマチ６を構成する各マチ形成部材１９、２３は、中間に設けられた傾斜折り線１９ｃ、２３ｃを介して延出端側１９ａ、２３ａと基端側１９ｂ、２３ｂとが連続させてあり、前記延出端側１９ａ、２３ａ同士を接合することにより前記延出部１５が構成されている。同様に、下のマチ７を構成する各マチ形成部材２１、２５も、中間に設けられた傾斜折り線２１ｃ、２５ｃを介して延出端側２１ａ、２５ａと基端側２１ｂ、２５ｂとが連続させてあり、前記延出端側２１ａ、２５ａ同士を接合することにより前記延出部１７が構成されている。前記スリット１９ｓ、２１ｓは、一方のマチ形成部材１９、２１の前記傾斜折り線１９ａ、２１ａの近傍に形成してある。
【００２０】
この実施形態では、前述したように、正面視において左右に位置する前記両外壁５の上縁５ｅ間及び下縁５ｆ間に前記上のマチ６及び下のマチ７がそれぞれ設けられている。前記各マチ６、７のマチ本体１１、１３は、前記展開姿勢（Ｅ）において略水平に展開可能であり、展開した状態では平面視扇形に広がる。なお、この実施形態においては、前記上のマチ６よりも前記下のマチ７の方が前記両外壁５の基端５ａから離れた位置に配されている。そして、下のマチ７の一方のマチ形成部材２１の幅寸法が、上のマチ６の一方のマチ形成部材１９の幅寸法よりも大きく設定されている。
【００２１】
前記表紙２は、図４〜図７及び図９〜図１０に示すように、前記境界折り線８を介して前記収納部１の一方の外壁５の先端５ｂに一体に設けられたもので、その先端縁２ａは、前記収納部１の主折り線５ｃと平行に形成されている。
【００２２】
前記裏表紙３は、図４〜図６及び図９〜図１０に示すように、前記境界折り線８を介して前記収納部１の他方の外壁５の先端５ｂに一体に設けられたもので、その先端側に前記表紙２の外面に被せることができる折曲部２９を備えている。この折曲部２９と裏表紙本体２７との間には、前記収納部１内の図示しない被収納物の厚みに応じて折り増しすることができるようにした厚み調整用の複数本の平行な折り線３ａと、被収納物につけられた見出しを回避するための見出し回避用の折り線３ｂとが設けられている。そして、折曲部２９の先端縁２９ａは、当該折曲部２９を表紙２の外面に重ね合わせた状態で、前記表紙２と前記収納部１との境界をなす前記境界折り線８と平行となるように形成されている。また、この裏表紙３の外面における裏表紙本体２７と折曲部２９との境界を覆うようにして見出し収納用の透明なポケット４が設けられている。
【００２３】
次いで、このファイルＦの組立順序を説明する。
【００２４】
図１１は、このファイルＦの主要部をなす、マチ６、７を有した収納部１と、表紙２と、裏表紙３とを形成するための合成樹脂製のシートＳの展開図である。このシートＳには、完成したファイルＦの各構成部分に対応する部位に同一の符号を付している。すなわち、前記収納部１と前記表紙２と前記裏表紙３とは、共通のシートＳを用いて一体に構成されている。この展開状態から、まず、前記外壁５の主折り線５ｃを折り曲げて表紙２を裏表紙３の内面に重ね合わせる。それから、上下のマチ６、７と収納部１の外壁５との境界をなす境界折り線６ａに折り癖を付けるとともに、各マチ形成部材１９、２３、２１、２５の傾斜折り線１９ｃ、２３ｃ、２１ｃ、２５ｃを折り曲げつつ、一方のマチ形成部材１９、２１のスリット１９ｓ、２１ｓに他方のマチ形成部材２３、２５の延出端側２３ａ、２５ａを挿通させ、上側の両マチ形成部材１９、２３における延出端側１９ａ、２３ａの裏面同士及び下側の両マチ形成部材２１、２５における延出端側２１ａ、２５ａの裏面同士をそれぞれ密着させる。図１２は、以上の操作が完了した状態を示している。この状態で裏面同士を密着させた上側の両マチ形成部材１９、２３の延出端側１９ａ、２３ａ同士及び下側の両マチ形成部材２１、２５の延出端側２１ａ、２５ａ同士をそれぞれ溶着処理により接合させる。この状態で、裏表紙３の外面に見出し収納用のポケット４の溶着作業も行う。図１２におけるパターン付与部分は、溶着する領域を示している。
【００２５】
以上の作業が終了した段階で、前記収納部１の外壁５同士を離間させて当該収納部１を展開姿勢（Ｅ）とし、前記境界折り線６ａ、７ａを折り曲げつつ外壁５同士を接近させて両マチ６、７を収納部１内に反転収納させ、裏表紙３の折曲部２９と裏表紙３本体との間の折り線３ａを折り曲げ、前記折曲部２９を表紙２の外面に被せると、図１〜図１０に示す完成されたファイルＦを得る。
【００２６】
このような構成のファイルＦであれば、図１〜図３に示す折畳み姿勢（Ｈ）から表紙２及び裏表紙３を左右に開くと、前記収納部１は図４に示す中間姿勢を経て図５に示す展開姿勢（Ｅ）となる。この過程で、上下のマチ６、７は、次のように変形する。すなわち、折畳み姿勢（Ｈ）では、延出部１５、１７だけでなくマチ本体１１、１３も板状に畳まれている。この姿勢から前記中間姿勢を経て前記展開姿勢（Ｅ）とすると、前記延出部１５、１７が収納空間１ｓに突出した状態を維持しつつマチ本体１１、１３が漸次拡開し、展開姿勢（Ｅ）に達した段階で各マチ６、７のマチ本体１１、１３がほぼ水平な状態となる。この状態では、前記延出部１５、１７の延出端側が収納空間１ｓから露出する。図６は、各マチ６、７の延出部１５、１７が収納空間１ｓの開口端すなわち外壁５の先端５ｂから外側に突出した状態を示している。
【００２７】
このように展開姿勢（Ｅ）でマチ６、７のマチ本体１１、１３がほぼ水平状態となるとともに、延出部１５、１７の一部が収納空間１ｓから突出していれば、その突出部分をガイドとして書類等の被収納物を前記収納部１に収納することができ、マチ６、７が邪魔になって書類等の挿入が難しいという不具合を解消することができる。しかも、このファイルＦのマチ６、７は、収納部１内に延出する延出部１５、１７を備えているため、当該収納部１の開口幅を大きく設定しても、マチ６、７が反転して外側に突出してしまうという不具合を防止又は抑制することができる。さらに、前記マチ６、７の延出部１５、１７により収納空間１ｓが表紙２側と裏表紙３側とに区成されるので、このマチ６、７の延出部１５、１７を収納空間１ｓの仕切として利用することもできる。その上、前記延出部１５、１７の長さを十分確保していることにより、前記収納空間内１ｓにおける前記延出部１５、１７の表紙２側及び裏表紙３側にクリヤーホルダー等の被収納物をバランスよく（例えば、表紙２側及び裏表紙３側にそれぞれ同数）配置した状態で表紙２及び裏表紙３を展開し収納部１を展開姿勢（Ｅ）とする際に、被収納物が前記延出部１５、１７を乗り越えて偏った配置（表紙２側及び裏表紙３側で被収納物の量が異なった配置）となることを抑制できる。
【００２８】
なお、本発明は以上に述べた実施形態に限らない。
【００２９】
例えば、上述した実施形態では、マチを収納部の両外壁の端縁から一体に延設しているが、図１３及び図１４に示すように、マチ７を収納部１の両外壁５と別体にしてもよい。すなわち、このファイルＦ２におけるマチ７は、基端折返し部２１ｚ、２５ｚをそれぞれ対応する収納部１の外壁５内面に溶着したマチ形成部材２１、２５により構成されたもので、これらマチ形成部材２１、２５の先端側２１ｘ、２５ｘを密着するように重ね合わせた状態で溶着することにより作られている。そして、前記マチ形成部材２１、２５の先端側２１ｘ、２５ｘによりマチ７の延出部１７を形成しているとともに、前記マチ形成部材２１、２５の基端側２１ｙ、２５ｙによりマチ本体１３を形成している。このファイルＦ２においても、前記収納部１を展開姿勢（Ｅ）にした場合には、前記マチ本体１３がほぼ水平状態に展開されるとともに、前記延出部１７の一部が収納空間１の開口端すなわち外壁５の先端５ｂから外部に露出するようになっている。なお、前記図１３及び図１４においては、収納部１の外壁５の下縁５ｆ間に設けた下のマチ７のみを示しているが、収納部１の外壁５の上縁間にも、前記下のマチ７と同様の構成を有する上のマチを配設している。また、図１３及び図１４において、上述した実施形態と同一又は準じた部分には同一の符号を付して説明を省略する。
【００３０】
また、前記収納部の構成は、上述した実施形態のものに限らず、種々のものが考えられる。但し、上述した実施形態の構成を採用すれば、簡単な構成により、前記表紙と前記裏表紙の展開時における開口幅を大きくとりつつ、マチが邪魔になって書類等の挿入が難しいという不具合の発生を防止ないし抑制することができるとともに、折畳み姿勢とする際にマチが収納部内に折り畳まれるので、ファイルボックスへの収納の際に邪魔にならない。
【００３１】
一方、マチ本体及び延出部の構成も、上述した実施形態のものに限らず、可撓性を有するマチ本体と、このマチ本体の幅方向中間部から収納部側に向けて演出する延出部との全てを同一に部材により構成する等、他の構成を採用してもよい。但し、上述した実施形態の構成を採用すれば、シート状のマチ形成部材の延出端側を結合することにより延出部及びマチ本体を形成するため、マチ形成部材の製造が容易である。
【００３２】
加えて、マチの設置態様や展開姿勢とした際のマチの形状も、上述した実施形態のものに限らず、他の構成を採用してもよい。例えば、両外壁の下縁間にのみ展開時に変位して前記収納空間から露出する延出部を備えたマチを配し、両外壁の上縁間には可撓性を有する１枚のシートのみを利用して形成したマチを配する構成や、展開姿勢とした際のマチの形状が収納空間側に突出する断面視Ｖ字状ないしＵ字状となるものが一例としてあげられる。但し、上述した実施形態の構成を採用すれば、収納空間内に被収納物を収納する際に延出部をガイドとして利用できるので、収納空間内に被収納物を挿入しやすい。
【００３３】
そして、上述した実施形態では、前記収納部が、その両外壁を対応する前記表紙及び前記裏表紙にそれぞれ折り線を介して一体に構成したものであり、前記折り線を傾斜させて前記外壁の下縁の長さを上縁の長さより大きな値に設定していることにより、収納時に被収納物が下に垂れる現象の発生を抑制しているが、外壁の上縁の長さと下縁の長さとを等しくする、又は外壁の上縁の長さを下縁の長さよりも大きな値に設定することを妨げるものではない。
【００３４】
その他、本発明の趣旨を損ねない範囲で種々に変更してよい。
【符号の説明】
【００３５】
Ｆ…ファイル
１…収納部
１ｓ…収納空間
２…表紙
３…裏表紙
５…外壁
５ａ…外壁の基端
５ｂ…外壁の先端
５ｅ…外壁の上縁（外壁の端縁）
５ｆ…外壁の下縁（外壁の端縁）
６、７…マチ
８…収納部の外壁と表紙又は裏表紙との境界の折り線
１１、１３…マチ本体
１５、１７…延出部
１９、２１、２３、２５…マチ形成部材
１９ｂ、２１ｂ、２３ｂ、２５ｂ…マチ形成部材の延出端側
【図１】
2019043038.tif 000003
【図２】
2019043038.tif 000004
【図３】
2019043038.tif 000005
【図４】
2019043038.tif 000006
【図５】
2019043038.tif 000007
【図６】
2019043038.tif 000008
【図７】
2019043038.tif 000009
【図８】
2019043038.tif 000010
【図９】
2019043038.tif 000011
【図１０】
2019043038.tif 000012
【図１１】
2019043038.tif 000013
【図１２】
2019043038.tif 000014
【図１３】
2019043038.tif 000015
【図１４】
2019043038.tif 000016